(57)【特許請求の範囲】
【請求項１】
筐体内にメイン回路基板、無線通信用回路基板、デジタルカメラユニット及びアンテナ線を収容した携帯型電子機器において、
金属被膜された第１フレームと樹脂からなる第２フレームとを一体成形したホルダが前記メイン回路基板上に保持され、
前記デジタルカメラユニットが前記第１フレームに囲繞された状態で前記第１フレームに保持され、
前記無線通信用回路基板が前記第２フレームに保持され、
前記アンテナ線が前記第２フレームに関して前記第１フレームの反対側において敷設され、前記アンテナ線の一部が前記無線通信用回路基板及び前記第２フレームに重なって、前記アンテナ線が前記無線通信用回路基板に接続されていることを特徴とする携帯型電子機器。
【請求項２】
前記筐体には対物窓が形成され、
前記デジタルカメラユニットが前記対物窓に対向し、
前記対物窓が形成された面から見て、前記アンテナ線が前記筐体内の領域のうち前記第２フレームに関して前記第１フレームの反対側の領域を囲繞するよう敷設されていることを特徴とする請求項１に記載の携帯型電子機器。
【請求項３】
前記筐体の内面には溝が形成され、前記アンテナ線が前記溝に嵌め込まれていることを特徴とする請求項１又は２に記載の携帯型電子機器。
【発明の詳細な説明】
【技術分野】
【０００１】
本発明は、筐体内にメイン回路基板、無線通信用回路基板、デジタルカメラユニット及びアンテナ線を収容した携帯型電子機器に関する。
【背景技術】
【０００２】
近年、携帯電話機に代表されるように無線通信可能な携帯型電子機器が広く普及している。また、携帯型電子機器の多機能化も進み、無線通信機能のみならず、カメラ機能も有した携帯型電子機器も広く普及している。カメラ機能付携帯型電子機器には小型なデジタルカメラユニットが内蔵され、デジタルカメラユニットにおいて光電変換により撮像が行われ、デジタルカメラユニットで得られた電気信号が画像処理チップによって処理され、処理された画像データが内部メモリに記憶される。デジタルカメラユニットは小型レンズ装置と固体撮像素子を組み付けてユニット化したものであり（例えば、特許文献１、特許文献２参照。）、デジタルカメラユニットをホルダに取り付けて（特許文献３参照。）、そのホルダごとデジタルカメラユニットを内部の回路基板に搭載している（例えば、特許文献３参照。）。
【０００３】
また、デジタルカメラユニットの固体撮像素子から発生したノイズが電磁波として他の電気素子に影響を与えないようにするため、金属製のシールドがデジタルカメラユニットに施されている（例えば、特許文献１、特許文献２参照。）。
【特許文献１】特開２００５−１２３２７号公報
【特許文献２】特開２００５−９４６３７号公報
【特許文献３】特開２００４−８８２６２号公報
【発明の開示】
【発明が解決しようとする課題】
【０００４】
ところで、携帯型電子機器の携帯性を考慮すると、携帯型電子機器を大きく設計することができず、携帯型電子機器を小型化しなければならない。そのような携帯型電子機器の内部にデジタルカメラユニットを内蔵すると、デジタルカメラユニットとアンテナを近くに配置しなければならないことがある。そのため、デジタルカメラユニットに施された電磁シールドによって逆にアンテナの感度を低下させてしまい、通信性能の低下を招いてしまう。
【０００５】
そこで、本発明は、上記問題点に鑑みてなされたものであり、デジタルカメラユニットから発生するノイズが他の電子機器に影響を与えず、且つアンテナの感度を低下させないような携帯型電子機器を提供することを目的とする。
【課題を解決するための手段】
【０００６】
以上の課題を解決するため、請求項１に記載の携帯型電子機器は、
筐体内にメイン回路基板、無線通信用回路基板、デジタルカメラユニット及びアンテナ線を収容した携帯型電子機器において、
金属被膜された第１フレームと樹脂からなる第２フレームとを一体成形したホルダが前記メイン回路基板上に保持され、
前記デジタルカメラユニットが前記第１フレームに囲繞された状態で前記第１フレームに保持され、
前記無線通信用回路基板が前記第２フレームに保持され、
前記アンテナ線が前記第２フレームに関して前記第１フレームの反対側において敷設され、前記アンテナ線の一部が前記無線通信用回路基板及び前記第２フレームに重なって、前記アンテナ線が前記無線通信用回路基板に接続されていることを特徴とする。
【０００７】
請求項２に記載の携帯型電子機器は、請求項１に記載の携帯型電子機器において、
前記筐体には対物窓が形成され、
前記デジタルカメラユニットが前記対物窓に対向し、
前記対物窓が形成された面から見て、前記アンテナ線が前記筐体内の領域のうち前記第２フレームに関して前記第１フレームの反対側の領域を囲繞するよう敷設されていることを特徴とする。
【０００８】
請求項３に記載の携帯型電子機器は、請求項１又は２に記載の携帯型電子機器において、
前記筐体の内面には溝が形成され、前記アンテナ線が前記溝に嵌め込まれていることを特徴とする。
【発明の効果】
【０００９】
本発明によれば、デジタルカメラユニットが第１フレームによって囲繞され、その第１フレームが金属被膜されているので、デジタルカメラユニットで発生した電気的ノイズが無線通信用回路基板、アンテナといった他の電気素子に影響することが低減され、更に、デジタルカメラユニットを第１フレームによって接地することができる。一方、アンテナ線の一部が第２フレームに重なっていても、第２フレームが樹脂であり更に第２フレームに金属被膜もされていないので、アンテナ線の電波受信感度が低下しない。
【発明を実施するための最良の形態】
【００１０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１１】
図１は、携帯電話機１の斜視図である。
【００１２】
この携帯電話機１においては、第１の筐体２が２軸ヒンジ部３によって第２の筐体４に連結されている。２軸ヒンジ部３は、第２の筐体４の幅方向に平行な第１軸線の周りに回動可能に第２の筐体４に連結されるとともに、その第１軸線に直交する第２軸線の周りに回動可能となって第１の筐体２に連結されている。第１の筐体２を２軸ヒンジ部３の第１軸線周りに回動させることにより、第１の筐体２を第２の筐体４に対して開閉することができ、第１の筐体２を２軸ヒンジ部３の第２軸線周りに回動させることにより、第１の筐体２を反転させることができる。そのため、第１の筐体２が第２の筐体４に対して閉じた状態として、第１の筐体２の前面を第２の筐体４の前面に対向させた状態にできるとともに、第１の筐体２の後面を第２の筐体４の前面に対向させた状態にもできる。
【００１３】
第１の筐体２の前面には表示窓２１が設けられ、表示窓２１の上には通話孔２２が形成され、第１の筐体２の内部であって通話孔２２に相対する部分には通話用スピーカが設けられている。第１の筐体２内には液晶ディスプレイパネル又はエレクトロルミネッセンスディスプレイパネルが収容され、そのディスプレイパネルが第１の筐体２内において表示窓２１に対向している。なお、表示窓２１は薄板状の透明板からなり、その透明板は第１の筐体２と一体成形されたものでも良いし、第１の筐体２の開口（この開口は表示窓２１に対応する部分に形成されたものである。）を閉塞するように第１の筐体２に張り付けられたものでも良い。
【００１４】
第２の筐体４の前面にはテンキー等といった操作部４１が設けられている。第２の筐体４の前面であって２軸ヒンジ部３から離れた側の端部には、通話孔４２が形成され、第２の筐体４の内部であって通話孔４２に相対する部分には通話用マイクが設けられている。
【００１５】
図２は、第２の筐体４の分解斜視図である。第２の筐体４は、図１及び図２に示すように、前面側が表ケース５１で構成され、背面側が裏ケース５２で構成され、表ケース５１と裏ケース５２が張り合わせて爪によってこれらを結合することにより、第２の筐体４の内部に収容空間が形成されている。
【００１６】
第２の筐体４の背面には、つまり、裏ケース５２には、対物窓４３が形成されている。対物窓４３は薄板状の透明板からなり、その透明板は第２の筐体４と一体成形されたものでも良いし、第２の筐体４の開口（この開口は対物窓４３に対応する部分に形成されたものである。）を閉塞するように第２の筐体４に張り付けられたものでも良い。背面から見て対物窓４３の左右両側には放音孔４４がそれぞれ形成され、裏ケース５２の内面に２つのスピーカ５４（図５に図示）が取り付けられ、スピーカ５４が放音孔４４に対向している。
【００１７】
第２の筐体４内にはメイン回路基板４７が収容されている。このメイン回路基板４７の前面（表ケース５１側）に操作部４１が搭載され、その操作部４１の一部がテンキー等として第２の筐体４の前面に露出している（図１参照）。
【００１８】
メイン回路基板４７の背面（裏ケース５２側）であって２軸ヒンジ部３寄りの部分にはホルダ６０が搭載され、ホルダ６０がネジによりメイン回路基板４７に保持されている。図３は、ホルダ６０の斜視図である。図３に示すように、ホルダ６０は、第１フレーム６１と、第２フレーム６２とから構成されている。第１フレーム６１の表面には金属被膜が被膜され、第２フレーム６２の表面には金属被膜が形成されていない。このホルダ６０は、例えば、第１フレーム６１の構成樹脂をＡＢＳ（アクリロニトリル・ブタジエンスチレン）樹脂し、第２フレーム６２の構成樹脂をＰＣ（ポリカーボネイト）樹脂にして、第１フレーム６１と第２フレーム６２とを二色成形法により一体成形され、例えば無電解ニッケルメッキ法で前述した第１フレーム６１の表面部分のみに金属皮膜を成形しているが、金属皮膜は蒸着法などのその他の方法で形成してもよい。なお、図３において、模様により塗り潰された部分がＰＣ樹脂であり、白地の部分が金属被膜である。
【００１９】
図４に示すように、ホルダ６０が回路基板４０に搭載された状態では、第１フレーム６１が２軸ヒンジ部３寄りになり、第２フレーム６２が２軸ヒンジ部３の反対寄りになる。第１フレーム６１はデジタルカメラユニット５３の周囲を囲繞し、デジタルカメラユニット５３が第１フレーム６１によって保持されている。このデジタルカメラユニット５３はフレキシブル配線基板を介してメイン回路基板４７に接続され、フレキシブル配線基板によってメイン回路基板４７とデジタルカメラユニット５３との間で電気信号の転送が行われる。このデジタルカメラユニット５３が第１の筐体２内において対物窓４３に対向している。
【００２０】
第２フレーム６２には無線通信用回路基板６７が載置され、第２フレーム６２から突出した爪６３，６４が無線通信用回路基板６７の縁部に係止することによって、無線通信用回路基板６７が第２フレーム６２に保持されている。無線通信用回路基板６７にはＲＦＩＤ（Radio Frequency Identification）方式のＩＣチップ等が搭載され、ＲＦＩＤ方式のリーダ・ライタと無線通信するものである。
【００２１】
図５は、裏ケース５２の内面を示した平面図である。図５に示すように、裏ケース５２の内面には、適所にリブなどを設けることにより、裏ケース５２の側壁内面に沿って、アンテナ線６５を収納可能な矩形状の溝５５が形成されている。この矩形状溝５５にアンテナ線６５が嵌め込まれ、アンテナ線６５が矩形状溝５５に沿って矩形枠状に敷設されている。表ケース５１と裏ケース５２が張り合わせて爪によってこれらを結合することにより、矩形状溝５５に嵌め込まれたアンテナ線６５が第２の筐体４内に収容される。
【００２２】
第２の筐体４の背面から投影視すると、矩形状溝５５が第２の筐体４内の領域のうち第２フレーム６２に関して第１フレーム６１の反対側の領域を囲み、アンテナ線６５が第２の筐体４内の領域のうち第２フレーム６２に関して第１フレーム６１の反対側の領域を囲繞するように敷設されている。このアンテナ線６５の両端部が第２フレーム６２に重なっているが、第１フレーム６１には重なっていない。このアンテナ線６５の両端部が補助基板６６に接続され、この補助基板６６が裏ケース５２に張り付けられ、補助基板６６が無線通信用回路基板６７に対向している。補助基板６６には端子６６ａ，６６ｂが形成され、端子６６ａ，６６ｂが無線通信用回路基板６７の端子６７ａ，６７ｂにそれぞれ接し、これによりアンテナ線６５が補助基板６６を介して無線通信用回路基板６７に接続されている。
【００２３】
ＲＦＩＤ方式のリーダ・ライタから発せられた電波がアンテナ線６５で受けられ、その電波の信号処理が無線通信用回路基板６７にて行われる。
なお、第１の筐体２内又は第２の筐体４内には、アンテナ線６５とは別のアンテナが内蔵され、そのアンテナを介して電波を送受することにより通話やデータ通信が行われる。
【００２４】
以上のように、本実施形態によれば、デジタルカメラユニット５３で発生した電気的ノイズによって電磁波が発生しても、デジタルカメラユニット５３を囲繞した第１フレーム６１の金属被膜によって電磁波が遮蔽される。そのため、デジタルカメラユニット５３から発生したノイズがアンテナ線６５、無線通信用回路基板６７等に影響を与えない。従って、アンテナ線６５、無線通信用回路基板６７の通信性能の低下を抑えることができる。
【００２５】
また、第１フレーム６１がデジタルカメラユニット５３に接しているので、デジタルカメラユニット５３を接地することができる。
【００２６】
また、アンテナ線６５の一部が第２フレーム６２に重なっていても、第２フレーム６２が樹脂であり更に第２フレーム６２に金属被膜もされていないので、アンテナ線６５の電波受信感度が低下しない。
【００２７】
なお、本発明は、上記実施形態又は変形例に限定されることなく、本発明の趣旨を逸脱しない範囲において、種々の改良並びに設計の変更を行っても良い。
上記実施形態では、操作部側の第２の筐体４にメイン回路基板４７、デジタルカメラユニット５３、アンテナ線６５、無線通信用回路基板６７及びホルダ６０を内蔵した携帯電話機１に本発明を適用したが、表示側の第１の筐体内にメイン回路基板、デジタルカメラユニット、アンテナ線、無線通信用回路基板及びホルダを内蔵した携帯電話機に本発明を適用しても良い。
また、折り畳み型携帯電話機１ではなく、筐体の前面に表示画面と操作部の両方が設けられ、その筐体内にメイン回路基板、デジタルカメラユニット、アンテナ線、無線通信用回路基板及びホルダを内蔵したストレート型携帯電話機に本発明を適用しても良い。
【図面の簡単な説明】
【００２８】
【図１】本発明に係る携帯型電子機器の実施形態としての携帯電話機の斜視図である。
【図２】第２の筐体の分解斜視図である。
【図３】ホルダの斜視図である。
【図４】ホルダを回路基板に搭載した状態における第２の筐体の分解斜視図である。
【図５】第２の筐体の裏ケースの内面を示した平面図である。
【符号の説明】
【００２９】
１  携帯電話機
２  第１の筐体
３  ２軸ヒンジ部
４  第２の筐体
４３  対物窓
４７  メイン回路基板
５３  デジタルカメラユニット
５５  溝
６０  ホルダ
６１  第１フレーム
６２  第２フレーム
６５  アンテナ線
６７  無線通信用回路基板
【図１】
0004569904.tif 000002
【図２】
0004569904.tif 000003
【図３】
0004569904.tif 000004
【図４】
0004569904.tif 000005
【図５】
0004569904.tif 000006